(57)【要約】【課題】省スペース化が図れ、自動的にタオルを折り畳むことのできるタオル掛けを提供する。【解決手段】固定配置した２本の支持棒１１Ａ，１１Ｂと、これら支持棒１１Ａ，１１Ｂの間を通過して上下に移動でき、下端停止できる昇降棒１５とから成り、前記２本の支持棒１１Ａ，１１Ｂの上方を通り且つ昇降棒１５の下方を通ってタオル１７を掛け渡したから、タオル１７をＷ字状に折り畳むことができ、省スペース化を図ることが可能である。またタオル１７を引き出す場合は、手前側のタオル１７の一部を引っ張るだけでタオル１７に掛かった昇降棒１５が上方へ上がるので、僅かの手の力で簡単に引き出すことができる。そして、手を放すと、昇降棒１５の荷重によってタオル１７の引き出された分が引き戻されるようになり、自動的に折り畳んだ状態で収納することができる。【選択図】　図１
2004113449.tif 000002
【特許請求の範囲】
【請求項１】
固定配置した２本の支持棒と、これら支持棒の間を通過して上下に移動でき、下端停止できる昇降棒とから成り、前記２本の支持棒の上方を通り且つ昇降棒の下方を通ってタオルを掛け渡したことを特徴とする自動折り畳み式タオル掛け。
【請求項２】
昇降棒が紐で吊り下げられている前記請求項１に記載の自動折り畳み式タオル掛け。
【請求項３】
奥側の支持棒にタオルを固定するためのクリップが配設されている前記請求項１又は２に記載の自動折り畳み式タオル掛け。
【請求項４】
両端をガイドバーにより上方から吊り下げ固定した２本の支持棒と、これら支持棒の間を通過して上下に移動でき、下端停止できる昇降棒と、奥側の支持棒の両端側のガイドバーに対して昇降自在に取り付けられたタオル押えバーとから成り、前記２本の支持棒の上方を通り且つ昇降棒の下方を通ってタオルを掛け渡すと共に、タオル押えバーの自重により支持棒との間でタオルを挟持するようにしたことを特徴とする自動折り畳み式タオル掛け。
【請求項５】
昇降棒の両端側にタオルの蛇行を防止するためのフランジが取り付けられている前記請求項１〜４のいずれか一つに記載の自動折り畳み式タオル掛け。
【発明の詳細な説明】
【０００１】
【発明の属する技術分野】
本発明は、タオルを自動的に折り畳むことのできるタオル掛けに関するものである。
【０００２】
【従来の技術】
タオルを収納する従来技術として、図７に示す特許文献１に記載されたものがある。この従来技術は、下面１を開口した箱体２の中へタオル３を掛ける矩形状枠のハンガーバー４を昇降自在に取り付けるようにしている。昇降機構は、箱体２の両方の内側面の上方に滑車５を回転自在に取り付け、その下方にハンガーバー４の嵌合部を上下方向に案内するレール溝６を設けている。レール溝６は、奥側が直線状でハンガーバー４を上方へ引き上げるときに利用され、手前側は下端部と途中数カ所に係止部が設けられている。そして、ハンガーバー４の両側面側をそれぞれ滑車５にかけ渡したロープ７の一端側に固定し、ロープ７の他端側には錘８を取り付けている。またハンガーバー４の下端側には引き紐９を取り付けている。
【０００３】
ハンガーバー４の引き紐９を引き下げると、ハンガーバー４は手前側のレール溝６を通って降下し、下端側の係止部に引っ掛かって係止する。このとき、ハンガーバー４はその一部が箱体２の下面開口より下方へ飛び出した状態となり、図７の鎖線で示す如く、タオル３を二つ折りにした状態で掛けることができる。然る後は、引き紐９を更に引き下げて、ハンガーバー４をレール溝６の奥側へ案内し、手を放すと、ハンガーバー４は錘８の重力によって上方へ引き上げられて停止し、タオル３は箱体２内へ収納される。タオル３を取り出したい場合は、更に引き紐９を引き下げてハンガーバー４を降下させればよい。
【０００４】
【特許文献１】
実開平６−５８９０号公報
【０００５】
【発明が解決しようとする課題】
このように先に出願された前記特許文献１にあっては、引き紐９の操作によりハンガーバー４を昇降させてタオル３を箱体２内へ収納したり、又は箱体２の下面開口から露出させるようにしている。ところが、タオル３を引き出した場合でも箱体２の下方にタオル３の少なくとも半分（二つ折りの状態）のスペースが必要であり、タオル掛け装置全体では上下方向に大きなスペースを必要とする欠点があった。
本発明は従来の前記欠点に鑑み、これを改良除去したものであって、省スペース化が図れ、自動的にタオルを折り畳むことのできるタオル掛けを提供せんとするものである。
【０００６】
【課題を解決するための手段】
前記課題を解決するために本発明が採用した請求項１の手段は、固定配置した２本の支持棒と、これら支持棒の間を通過して上下に移動でき、下端停止できる昇降棒とから成り、前記２本の支持棒の上方を通り且つ昇降棒の下方を通ってタオルを掛け渡したことを特徴とする自動折り畳み式タオル掛けである。
この発明によれば、タオルをＷ字状に折り畳むことができ、省スペース化を図ることが可能である。またタオルを引き出す場合は、手前側のタオルの一部を引っ張るだけでタオルに掛かった昇降棒が上方へ上がるので、僅かの手の力で簡単に引き出すことができる。そして、手を放すと、昇降棒の荷重によってタオルの引き出された分が引き戻されるようになり、自動的に折り畳んだ状態で収納することが可能である。
【０００７】
本発明が採用した請求項２の手段は、昇降棒が紐で吊り下げられている前記請求項１に記載の自動折り畳み式タオル掛けである。
昇降棒は紐で吊り下げているだけであり、余分な昇降機構等を必要とせず、全体の構成を簡略化することが可能である。
【０００８】
本発明が採用した請求項３の手段は、奥側の支持棒にタオルを固定するためのクリップが配設されている前記請求項１又は２に記載の自動折り畳み式タオル掛けである。
クリップを用いることにより、タオルの奥側を支持棒に確実に係止することができるので、タオルがズレ落ちるようなことはない。
【０００９】
本発明が採用した請求項４の手段は、両端をガイドバーにより上方から吊り下げ固定した２本の支持棒と、これら支持棒の間を通過して上下に移動でき、下端停止できる昇降棒と、奥側の支持棒の両端側のガイドバーに対して昇降自在に取り付けられたタオル押えバーとから成り、前記２本の支持棒の上方を通り且つ昇降棒の下方を通ってタオルを掛け渡すと共に、タオル押えバーの自重により支持棒との間でタオルを挟持するようにしたことを特徴とする自動折り畳み式タオル掛けである。
前記請求項１の作用効果に加え、タオル押えバーがその自重により、タオルの奥側を支持棒とで挟持することができるので、タオルがズレ落ちるようなことはない。
【００１０】
本発明が採用した請求項５の手段は、昇降棒の両端側にタオルの蛇行を防止するためのフランジが取り付けられている前記請求項１〜４のいずれか一つに記載の自動折り畳み式タオル掛けである。
昇降棒の両端側にフランジが取り付けられており、タオルの蛇行が防止されるので、安定した状態でタオルの反復使用が可能である。
【００１１】
【発明の実施の形態】
以下に、本発明の構成を図面に示す発明の実施の形態に基づいて説明すると次の通りである。図１〜図３は本発明の第１の実施の形態に係るものであり、図１の図（Ａ）はタオル掛け１０の全体を示す側面図、図（Ｂ）は施工前の全体斜視図である。図２の図（Ａ）〜図（Ｃ）は使用前、使用中、使用後の状態を示す側面図である。図３は変形使用例を示す側面図である。
【００１２】
図１に示す如く、この実施の形態にあっては、一本のアルミ合金又は樹脂材料等からなるパイプ状材料を折り曲げ形成し、奥側と手前側にタオル掛け用の支持棒１１Ａ，１１Ｂを２本平行に配設している。そして、これら前後の支持棒１１Ａ，１１Ｂの両端側からそれぞれ立ち上がる起立部１２Ａ〜１２Ｄを設け、更に前後の支持棒１１Ａ，１１Ｂのそれぞれの左端どうしの起立部１２Ａ，１２Ｂの上端部どうしを連結する取付固定部１３Ａと、右端どうしの起立部１２Ｃ，１２Ｄの上端部どうしを連結する取付固定部１３Ｂとを設けている。
【００１３】
一方、取付固定部１３Ａ，１３Ｂの中間部から紐状部材（鎖等でもよい）１４Ａ，１４Ｂを介して昇降棒１５を吊り下げ支持している。昇降棒１５は、前後の支持棒１１Ａ，１１Ｂよりも下方に位置するようにその高さ位置が決定されている。また昇降棒１５はある程度の重量がある方がよく、錘１６が必要に応じて外嵌装着されている。錘１６の外周面はタオル１７と直接接触する部位であり、滑り止め効果を持つ摩擦係数に優れたゴム材料等が適当である。
ところで、このように構成されたタオル掛け１０は、図１の図（Ａ）に示すように、取付固定部１３Ａ，１３Ｂが例えばアッパーキャビネット１８の底面下部にビス（図示せず）などにより固定されて使用される。
【００１４】
タオル掛け１０の使用態様は、図２の図（Ａ）〜図（Ｃ）に示す通りである。図（Ａ）はタオル１７を装着した状態であり、奥側のタオル掛け部としての支持棒１１Ａの上方から真ん中の昇降棒１５の下方を通り、手前側の支持棒１１Ｂの上方に掛け渡されている。つまり、タオル１７は、側面から見るとＷの字を逆さまにした状態でタオル掛け１０に掛け渡されている。
【００１５】
この装着状態からタオル１７を使用する場合には、手前側の支持棒１１Ｂから垂れ下がっているタオル１７の部分を掴んで手前側（やや斜め上方の方が好ましい）へ引っ張り出せばよい。タオル１７を引っ張ると、中間部の昇降棒１５が前記引っ張る力によって上方へ移動し、この移動した距離の２倍の寸法分に相当する長さだけタオル１７が手前側へ引き出される。この状態で手を拭く等の目的の動作を行えばよい。
【００１６】
次に、図（Ｂ）の使用状態からタオル１７を放すと、昇降棒１５は錘１６を含めた自重により落下する。このとき、昇降棒１５はタオル１７を一緒に押し下げるようになり、使用状態で手前側へ引き出されているタオル１７の部分が後方へ引っ張られる。これは、奥側の支持棒１１Ａに接合しているタオル１７の面積の方が、手前側へ引き出されている使用状態（図（Ｂ）参照）における手前側の支持棒１１Ｂと接合しているタオル１７の面積よりも大きく、抵抗力があるためである。そのため、タオル１７は、同図の図（Ｃ）に示すように、元の使用状態へ復帰することになる。つまり、図（Ｂ）に示す使用状態から手を放すだけで、タオル１７は昇降棒１５の自重により、図（Ｃ）に示すように、自動的に折り畳まれて収納されることになる。また折り畳まれた状態では、タオル１７は相互に離れており、くっつくことがないので、乾くのが早く、また清潔でもある。
【００１７】
図３は、タオル掛け１０の奥側の支持棒１１Ａにクリップ１９を係合装着できるようにしたものであり、このクリップ１９でタオル１７の奥側を支持棒１１Ａに確実に係止しておくようにしている。従って、タオル１７の使用に際し、タオル１７を手前側へ引き出すとき、及び使用状態から手を放してタオル１７を元の状態へ復帰させるときに、当該クリップ１９でタオル１７の奥側を支持棒１１Ａへ確実に係止させておくことができ、タオル１７のズレ落ち等がない。
【００１８】
図４は、本発明の第２の実施の形態に係るタオル掛け２０を示すものであり、図（Ａ）は側面図、図（Ｂ）は部分斜視図である。同図に示す如く、この実施の形態にあっては、奥側の起立部１２Ａ，１２Ｄに昇降自在にタオル押えバー２１を取り付け、起立部１２Ａ，１２Ｄをこのタオル押えバー２１のガイドバーとして利用するようにしたものである。タオル押えバー２１は、前記図３のクリップ１９の場合と同じように、タオル１７の奥側を当該押えバー２１と支持棒１１Ａとで挟持するようにしたものである。その他の構成並びに作用効果は、前記第１の実施の形態の場合と同じである。
【００１９】
図５は、本発明の第３の実施の形態に係るタオル掛け２２を示す部分斜視図である。この実施の形態では、支持棒１１Ａ，１１Ｂ間に昇降自在に配設される昇降棒１５の両端側に蛇行防止用のフランジ２３を設けるようにしている。これにより、タオル１７を引き出すとき及び収納するときに、タオル１７が昇降棒１５に対して蛇行することがなく、円滑な動作が可能である。その他の構成並びに作用効果は、前記第１の実施の形態の場合と同じである。
【００２０】
図６は、本発明の第４の実施の形態に係るタオル掛け２４を示す部分斜視図である。この実施の形態では、取付固定部１３Ａ，１３Ｂの中間部から下方へ紐部材で吊り下げていた昇降棒１５をガイドレール２５に設けた案内長孔２６を介して昇降案内するようにしている。ガイドレール２５の存在により、昇降棒１５が前後方向に揺れることがなく、安定した昇降動作が可能である。その他の構成並びに作用効果は、前記図５に示す第４の実施の形態の場合と同じである。
【００２１】
ところで、本発明は上述した実施の形態に限定されるものではなく、例えば、タオル掛けは、キッチンのアッパーキャビネットの下面側に取り付けてもよく、また洗面所のアッパーキャビネットに取り付けてもよく、その他の家具や棚板の下面側に取り付けてもよく、設置場所は任意である。
【００２２】
【発明の効果】
以上説明したように本発明にあっては、固定配置した２本の支持棒と、これら支持棒の間を通過して上下に移動でき、下端停止できる昇降棒とから成り、前記２本の支持棒の上方を通り且つ昇降棒の下方を通ってタオルを掛け渡したから、タオルをＷ字状に折り畳むことができ、省スペース化を図ることが可能である。またタオルを引き出す場合は、手前側のタオルを引っ張るだけでタオルに掛かった昇降棒が上方へ上がるので、僅かの手の力で簡単に引き出すことができる。そして、手を放すと、昇降棒の荷重によってタオルの引き出された分が引き戻されるようになり、自動的に折り畳んだ状態で収納することができる。
【００２３】
また本発明にあっては、奥側の支持棒にタオルを固定するためのクリップを配設したり、タオル押えバーを取り付けている。これにより、タオルの奥側を支持棒に確実に係止することができるようになり、タオルがズレ落ちるようなことはない。
【図面の簡単な説明】
【図１】本発明の第１の実施の形態のタオル掛けに係るものであり、図（Ａ）は全体を示す側面図、図（Ｂ）は施工前の全体斜視図である。
【図２】本発明の第１の実施の形態のタオル掛けに係るものであり、図（Ａ）は使用前の状態を示す側面図、図（Ｂ）は使用中の状態を示す側面図、図（Ｃ）は使用後の状態を示す側面図である。
【図３】本発明の第１の実施の形態のタオル掛けの変形使用例を示す側面図である。
【図４】本発明の第２の実施の形態に係るタオル掛けを示すものであり、図（Ａ）は側面図、図（Ｂ）は部分斜視図である。
【図５】本発明の第３の実施の形態に係るタオル掛けを示す部分斜視図である。
【図６】本発明の第４の実施の形態に係るタオル掛けを示す部分斜視図である。
【図７】特許文献１の技術を示す部分断面斜視図である。
【符号の説明】
１０…タオル掛け、１１Ａ，１１Ｂ…支持棒、１２Ａ〜１２Ｄ…起立部（ガイドバー）、１３Ａ，１３Ｂ…取付固定部、１４Ａ，１４Ｂ…紐部材、１５…昇降棒、１６…錘、１７…タオル、１９…クリップ、２０…タオル掛け、２１…タオル押えバー、２２…タオル掛け、２３…フランジ、２４…タオル掛け、２５…ガイドレール、２６…案内長孔
【図１】
2004113449.tif 000003
【図２】
2004113449.tif 000004
【図３】
2004113449.tif 000005
【図４】
2004113449.tif 000006
【図５】
2004113449.tif 000007
【図６】
2004113449.tif 000008
【図７】
2004113449.tif 000009